(57)【特許請求の範囲】
【請求項１】
回転軸（７）に所定間隔で複数枚のローターディスク（８）を同軸状態に取り付けたローター（５）を、各ローター（５）の各ローターディスク（８）が相互に入り込む状態に配列することにより構成したロータースクリーン（２）において、
各ローターディスク（８）は、ディスク本体（３１）と、このディスク本体（３１）の中心部に形成したハブ（３３）とを備えており、
前記ディスク本体（３１）は、円環状部分（３６）と、この円環状部分（３６）の円形外周面から外方に広がっている略正多角形の外形輪郭をした外周側部分（３７）とを備えており、
前記ローターディスク（８）の少なくとも前記ディスク本体（３１）は、円周方向に分割数ｎ（ｎ：３以上の整数）に分割された分割ディスク片（３８）から構成され、複数本の締結ねじ（３９）によって相互に締結固定されており、
各分割ディスク片（３８）は、その一方の第１分割端面（４１）と他方の第２分割端面（４２）とが相補的な輪郭形状をしており、
前記第１分割端面（４１）には、その外周端から中心に向かう途中位置から外方に突出している突出部分（４１ａ）が形成されており、
当該突出部分（４１ａ）には、前記締結ねじ（３９）を装着するための第１ねじ装着穴（４４）が形成されており、
前記第２分割端面（４２）には、前記突出部分（４１ａ）に対応する部位に、対応する角度で内方に括れている湾曲部分（４２ａ）が形成されており、
当該湾曲部分（４２ａ）の端面部分には、前記突出部分（４１ａ）の端面部分を重ね合わせた状態において前記第１ねじ装着穴（４４）と同軸状態となるように、前記締結ねじ（３９）を装着するための第２ねじ装着穴（４５）が形成されており、
前記第１ねじ装着穴（４４）は前記分割ディスク片（３８）の内周端面（４３）まで貫通しており、
前記第２ねじ装着穴（４５）は前記分割ディスク片（３８）の円形外周端面（４６）まで貫通しており、
隣接する一方の前記分割ディスク片（３８）の前記突出部分（４１ａ）に、他方の前記分割ディスク片（３８）の前記湾曲部分（４２ａ）を重ね合わせ、この状態で前記締結ねじ（３９）が前記第２ねじ装着穴（４５）から前記第１ねじ装着穴（４４）を通して前記ハブ（３３）にねじ込み固定されて、各分割ディスク片（３８）が相互に締結固定されていることを特徴とするロータースクリーン（２）。
【請求項２】
請求項１に記載のロータースクリーン（２）において、
前記ハブ（３３）は正多角形断面のものであり、
各分割ディスク片（３８）の前記内周端面（４３）の一部分は、前記ハブ（３３）の一つの外周端面（３３ａ）に当接する当接面部分となっており、
各分割ディスク片（３８）は前記当接面部分に沿った方向に着脱可能であることを特徴とするロータースクリーン（２）。
【請求項３】
回転軸（７）に所定間隔で複数枚のローターディスク（３１Ａ）を同軸状態に取り付けたローター（５）を、各ローター（５）の各ローターディスク（３１Ａ）が相互に入り込む状態に配列することにより構成したロータースクリーン（２）において、
各ローターディスク（３１Ａ）は、ディスク本体（３１）と、このディスク本体（３１）の中心部に形成したハブ（３３）とを備えており、
前記ディスク本体（３１）は、円環状部分（３６）と、この円環状部分（３６）の円形外周面から外方に広がっている略正多角形の外形輪郭をした外周側部分（３７）とを備えており、
前記ローターディスク（３１Ａ）の前記ディスク本体（３１）および前記ハブ（３３）を円周方向に分割数ｎ（ｎ：３以上の整数）で分割することにより各分割ディスク片（３８Ａ）が形成されており、これらの分割ディスク片（３８Ａ）は複数本の締結ねじ（３９）によって相互に締結固定されており、
各分割ディスク片（３８Ａ）は、その一方の第１分割端面（４１）と他方の第２分割端面（４２）とが相補的な輪郭形状をしており、
前記第１分割端面（４１）には、その外周端から中心に向かう途中位置から外方に突出している突出部分（４１ａ）が形成されており、
当該突出部分（４１ａ）には、前記締結ねじ（３９）を装着するための第１ねじ装着穴（４４Ａ）が形成されており、当該第１ねじ装着穴（４４Ａ）は所定の深さのねじ穴であり、
前記第２分割端面（４２）には、前記突出部分（４１ａ）に対応する部位に、対応する角度で内方に括れている湾曲部分（４２ａ）が形成されており、
当該湾曲部分（４２ａ）の端面部分には、前記突出部分（４１ａ）の端面部分を重ね合わせた状態において前記第１ねじ装着穴（４４）と同軸状態となるように、前記締結ねじ（３９）を装着するための第２ねじ装着穴（４５）が形成されており、当該第２ねじ装着穴（４５）は前記分割ディスク片（３８Ａ）の円形外周端面（４６）まで貫通しており、
隣接する一方の前記分割ディスク片（３８Ａ）の前記突出部分（４１ａ）に、他方の前記分割ディスク片（３８Ａ）の前記湾曲部分（４２ａ）を重ね合わせ、この状態で前記締結ねじ（３９）が前記第２ねじ装着穴（４５）から前記第１ねじ装着穴（４４Ａ）にねじ込み固定されて、各分割ディスク片（３８Ａ）が相互に締結固定されていることを特徴とするロータースクリーン（２）。
【請求項４】
請求項３に記載のロータースクリーン（２）において、
前記回転軸（７）は正多角形断面のものであり、
各分割ディスク片（３８Ａ）の内周端面（４３）の一部分は、前記回転軸（７）の正多角形の一つの外周端面に当接する当接面部分となっており、
各分割ディスク片（３８Ａ）を前記当接面部分に沿った方向に着脱可能であることを特徴とするロータースクリーン（２）。
【請求項５】
請求項１ないし４のうちのいずれかの項に記載のロータースクリーン（２）において、
前記ローターディスク（８）の外形輪郭形状は前記分割数ｎと同数の頂点を備えた略正多角形であり、
前記回転軸（７）は前記分割数ｎと同数の頂点を備えた正多角形断面のものであり、
各分割ディスク片（３８，３８Ａ）は同一形状であることを特徴とするロータースクリーン（２）。
【請求項６】
請求項１ないし５のうちのいずれかの項に記載のロータースクリーン（２）において、
前記第１ねじ装着穴（４４，４４Ａ）は前記突出部分（４１ａ）の端面部分から直交する方向に延びており、
前記第２ねじ装着穴（４５）は前記湾曲部分（４２ａ）の端面部分から直交する方向に延びていることを特徴とするロータースクリーン（２）。
【請求項７】
請求項１ないし６のうちのいずれかの項に記載のロータースクリーン（２）において、
前記第１ねじ装着穴（４４４）の方向は、当該方向が前記分割ディスク片（４３８）の着脱方向に対して（９０°＋３６０°／ｎ）以下の値となるように設定されていることを特徴とするロータースクリーン（２）。
【発明の詳細な説明】
【技術分野】
【０００１】
本発明は、回転軸に所定間隔で複数枚のローターディスクを同軸状態に取り付けたローターを、各ローターの各ローターディスクが相互に入り込む状態に配列することにより構成したロータースクリーンに関する。
【背景技術】
【０００２】
河川清掃時に発生する塵や産業廃棄物等は一般に木材、プラスチック、土砂などが混在した混合塵であり、混合塵を選別するためにロータースクリーン、ディスクスクリーン、ローターコンベヤなどと呼ばれている選別機構（以下、これらを総称して「ロータースクリーン」と呼ぶ。）を備えた選別機が使用されている。特許文献１、２、３にはロータースクリーンが開示されている。
【０００３】
ロータースクリーンは、その送り方向に向けて上方に傾斜するように配置され、その上に混合塵が投入される。ロータースクリーン上に混合塵が投入されると、まず、そこに含まれている土、砂、石などの細粒物が、ロータースクリーンの各ローターディスクの隙間から落下して選別される。ペットボトル、空き缶などの固形物は、傾斜配置されているロータースクリーンの上面に沿って送り方向とは反対側に滑落して選別される。残りのビニール袋などのシート類はロータースクリーンの各ローターディスクの回転によって送り出されて選別される。
【特許文献１】特許第３８０１９３２号公報
【特許文献２】特開２００７−１４４３２４号公報
【特許文献３】特許第４００４８８７号公報
【発明の開示】
【発明が解決しようとする課題】
【０００４】
ここで、ロータースクリーンを構成している各ローターは、回転軸の軸端から各ローターディスクを同軸状態に装着し、これらの間に配置したカラーによって一定の間隔となるように保持された構成となっている。したがって、長期使用などによってローターディスクが摩耗した場合、あるいは、ローターディスク間に石などが挟まってローターディスクの一部が破損した場合などにおいては、ローターを取り外して、その回転軸の軸端からローターディスクを一枚ずつ外して、交換対象のローターディスクを交換する必要がある。
【０００５】
交換対象のローターディスクが回転軸の中間に位置している場合には、多数枚のローターディスクを外し、再度、多数枚のローターディスクを取り付ける必要があるので、交換作業に時間を要してしまう。また、多数枚のローターディスクが取り付けられているローターは重量があるので、ロータースクリーンから各ローターを取り外す作業、再度組み付ける作業は重労働である。さらには、ローターディスクの一部のみが破損している場合、一部のみが摩耗している場合であっても、１枚のローターディスクを交換する必要があるので経済的でない。
【０００６】
本発明の課題は、このような点に鑑みて、簡単な作業により、破損あるいは摩耗したローターディスクの部分のみを交換可能なロータースクリーンを提案することにある。
【課題を解決するための手段】
【０００７】
上記の課題を解決するために、本発明のロータースクリーンは次の構成を備えている。なお、括弧内の符号は後述の実施の形態において用いたものであり、理解を容易にするために付してあるが、本発明を実施の形態に限定することを意図したものではない。
【０００８】
すなわち、本発明のロータースクリーンは、回転軸（７）に所定間隔で複数枚のローターディスク（８）を同軸状態に取り付けたローター（５）を、各ローター（５）の各ローターディスク（８）が相互に入り込む状態に配列することにより構成したロータースクリーン（２）において、
各ローターディスク（８）は、ディスク本体（３１）と、このディスク本体（３１）の中心部に形成したハブ（３３）とを備えており、
前記ディスク本体（３１）は、円環状部分（３６）と、この円環状部分（３６）の円形外周面から外方に広がっている略正多角形の外形輪郭をした外周側部分（３７）とを備えており、
前記ローターディスク（８）の少なくとも前記ディスク本体（３１）は、円周方向に分割数ｎ（ｎ：３以上の整数）に分割された分割ディスク片（３８）から構成され、複数本の締結ねじ（３９）によって相互に締結固定されており、
各分割ディスク片（３８）は、その一方の第１分割端面（４１）と他方の第２分割端面（４２）とが相補的な輪郭形状をしており、
前記第１分割端面（４１）には、その外周端から中心に向かう途中位置から外方に突出した突出部分（４１ａ）が形成されており、
当該突出部分（４１ａ）の端面部分には、前記締結ねじ（３９）を装着するための第１ねじ装着穴（４４）が形成されており、
前記第２分割端面（４２）には、前記突出部分（４１ａ）に対応する部位に、対応する角度で内方に湾曲している湾曲部分（４２ａ）が形成されており、
当該湾曲部分（４２ａ）の端面部分には、前記突出部分（４１ａ）の端面部分に重ね合わせた状態において前記第１ねじ装着穴（４４）と同軸状態となるように、前記締結ねじ（３９）を装着するための第２ねじ装着穴（４５）が形成されており、
前記第１ねじ装着穴（４４）は前記分割ディスク片（３８）の内周端面（４３）まで貫通しており、
前記第２ねじ装着穴（４５）は前記分割ディスク片（３８）の円形外周端面（４６）まで貫通しており、
隣接する一方の前記分割ディスク片（３８）の前記突出部分（４１ａ）の端面部分に、他方の前記分割ディスク片（３８）の前記湾曲部分（４２ａ）の端面部分を重ね合わせ、この状態で前記締結ねじ（３９）が前記第２ねじ装着穴（４５）から前記第１ねじ装着穴（４４）を通して前記ハブ（３３）にねじ込み固定されて、各分割ディスク片（３８）が相互に締結固定されていることを特徴としている。
【０００９】
ここで、前記ハブが正多角形断面の場合には、各分割ディスク片の前記内周端面の一部分を、前記ハブの一つの外周端面に当接する当接面部分としておくことが望ましい。この場合には、各分割ディスク片を前記当接面部分に沿った方向に着脱可能に設定しておけばよい。
【００１０】
本発明のロータースクリーンでは、各ローターディスクのディスク本体が円周方向に３個以上に分割された分割ディスク片から構成されている。したがって、ローターディスクに摩耗、破損が発生した場合には、該当箇所の分割ディスク片のみを交換すればよく、ローターディスク全体を交換する必要がない。また、ロータースクリーンから各ローターを取り外す前に、各ローターディスクから分割ディスク片を１枚あるいは複数枚だけ取り外すことにより、各ローターの重量を軽減化でき、各ローターの取り付け、取り外しを簡単に行うことが可能になる。
【００１１】
さらに、各分割ディスク片の第１分割端面が隣接する分割ディスク片の第２分割端面に対して入れ子式の形状となっており、回転軸の半径方向の外側から、順次に分割ディスク片を取り付けていくことができ、また、順次に分割ディスク片を取り外すことができる。よって、分割ディスク片の取り付け、取り外し作業が簡単である。
【００１２】
さらには、正多角形のハブの外周端面に沿った方向に各分割ディスク片を着脱すればよいので、各分割ディスク片の位置決め作業などを、ハブの外周端面を利用して簡単に行うことができる。
【００１３】
ここで、前記ローターディスクの前記ディスク本体および前記ハブを円周方向に分割することにより各分割ディスク片を形成しておいてもよい。この場合には、前記突出部分に形成されている前記第１ねじ装着穴を所定の深さのねじ穴とし、前記湾曲部分に形成されている前記第２ねじ装着穴は前記分割ディスク片の円形外周端面まで貫通させておけばよい。
【００１４】
次に、前記ローターディスクの外形輪郭形状を前記分割数ｎと同数の頂点を備えた略正多角形とし、前記回転軸も前記分割数ｎと同数の頂点を備えた正多角形断面のものとすれば、各分割ディスク片を同一形状のものとすることができる。
【００１５】
また、前記第１ねじ装着穴は前記突出部分の端面部分から直交する方向に形成し、前記第２ねじ装着穴は前記湾曲部分の端面部分から直交する方向に形成しておくことが望ましい。
【００１６】
一方、前記第１ねじ装着穴の方向は、当該方向が前記分割ディスク片の着脱方向に対して（９０°＋３６０°／ｎ）以下の値となるように設定しておけば、各分割ディスク片を半径方向に着脱することができる。
【発明の効果】
【００１７】
本発明のロータースクリーンでは、各ローターのローターディスクが分割構造となっており、回転軸に対して半径方向に組み付け、および、取り外しが可能である。したがって、ローターディスクに摩耗、破損が発生した場合には該当箇所の分割ディスク片のみを取り外して交換すればよいので、経済的である。また、分割ディスク片の取り外し、組み付け作業も回転軸の外側から簡単に行うことができる。
【発明を実施するための最良の形態】
【００１８】
以下に、図面を参照して、本発明を適用したロータースクリーンの実施の形態を説明する。
【００１９】
図１はロータースクリーンを備えた選別機を示す概略構成図であり、図２（ａ）はロータースクリーンの部分平面図であり、図２（ｂ）はロータースクリーンを構成している１本のローターを示す平面図である。
【００２０】
（全体構成）
これらの図に示すように、選別機１は、ロータースクリーン２と、このロータースクリーン２をその送り方向の先が上となるように傾斜状態で支持している架台３と、ロータースクリーン２を取り囲んでいる装置フレーム４とを有している。ロータースクリーン２は、送り方向に沿って一定間隔で平行に配列した複数本のローター５と、各ローター５を回転自在の状態で支持している枠体６とを備えている。各ローター５は、枠体６に対して、送り方向に直交する幅方向に架け渡した回転軸７と、この回転軸７に一定の間隔で同軸状態に固定した複数枚のローターディスク８とを備えている。隣り合うローター５における各ローターディスク８は交互に入り込んだ状態に配置されている。
【００２１】
ロータースクリーン２の枠体６の下端部分６ａ（送り方向の後端部分）は、上下方向に回転可能な状態でヒンジを介して架台３の側に支持されており、枠体６の上端部分６ｂの側は、シリンダ１０によって昇降可能な状態で架台３の側に支持されている。シリンダ１０を伸縮させることにより、ロータースクリーン２の傾斜角度を調整可能である。
【００２２】
ロータースクリーン２の中程の真上には、装置フレーム４に形成された投入口１１が位置している。この投入口１１からは、河川清掃時に発生する塵、産業廃棄物等のような土、砂、石、ビニール袋、ペットボトル、空缶、材木等が混在した混合塵Ｍが、外部のベルトコンベア１２によって投入可能である。ロータースクリーン２の下側には当該ロータースクリーン２の下面を包含する大きさの回収用ホッパ１３が配置されており、この回収用ホッパ１３の下端開口の真下には細粒物を所定の回収場所に搬送するためのコンベア１４が配置されている。また、ロータースクリーン２の送り方向の前端部分には、ここから落下する塵をガイドするための回収用ホッパ１５が配置されており、この回収用ホッパ１５の下端開口の真下にはシート類を所定の回収場所に搬送するためのコンベア１６が配置されている。さらに、ロータースクリーン２の送り方向の後端部分にも、ここから滑落する塵をガイドするための回収用ホッパ１７が配置されており、この回収用ホッパ１７の下端開口の真下には固形物を所定の回収場所に搬送するためのコンベア１８が配置されている。
【００２３】
次に、ローター５は、先に述べたように、回転軸７と、ここに一定の間隔で同軸状態に固定した複数枚のローターディスク８から構成されている。回転軸７は本例では正方形断面の回転軸であり、当該回転軸７の両端部分は軸受２１を介して枠体６に回転自在に支持されている。各回転軸７の一方の端部は軸受２１を貫通して側方に突出しており、この突出部分に取付けられたスプロケット２２と、これらに架け渡したチェーン２３からなる伝達機構を介して、モータ２４によって、各ローター５が同一方向に同期回転する。
【００２４】
図３を参照して選別動作の概要を述べる。傾斜配置されているロータースクリーン２の上に混合塵Ｗが投入されると、この混合塵Ｍに含まれている土、砂、石などの細粒塵Ｗ１は、ローターディスク８と回転軸７の間に形成されている隙間から下に落下して回収用ホッパ１３を介してコンベア１４に導かれ、所定の回収場所に搬送される。投入された混合塵Ｗに含まれているビニール袋などのシート類を含む軽量塵Ｗ２は、ロータースクリーン２によってその前端部分まで搬送され、そこから落下して回収用ホッパ１５を介してコンベア１６に導かれ、所定の回収場所に搬送される。混合塵Ｗのうちの残りの空き缶、ペットボトルなどの固形物を含む重量物Ｗ３は、ロータースクリーン２の上面に沿って滑落してその後端部分から落下して、回収用ホッパ１７を介してコンベア１８に導かれて、所定の回収場所に搬送される。このようにして、選別機１によって混合塵Ｗは三種類の塵Ｗ１〜Ｗ３に選別される。
【００２５】
（ローターディスクの実施の形態１）
次に、図４および図５はローターディスク８を示す説明図である。ローターディスク８は、ディスク本体３１と、このディスク本体３１に形成した中心穴３２に装着固定されているハブ３３と、このハブ３３に形成した中心孔３４に装着固定されているカラー３５とを備えている。
【００２６】
ディスク本体３１は、一定厚さの円環状部分３６と、この円環状部分３６の円形外周面３６ａから外方に広がっている略正方形の外形輪郭の外周側部分３７とを備えている。外周側部分３７は円環状部分３６よりも薄肉である。円環状部分３６の中心には正方形断面の中心穴３２が形成されている。この中心穴３２に装着固定されているハブ３３も対応した大きさの正方形の輪郭形状のものであり、このハブ３３の中心には、外形輪郭に対して９０°オフセットした状態で正方形の中心穴３４が形成されている。この中心穴３４に装着固定されているカラー３５も対応する大きさの正方形の輪郭形状をした一定厚さの筒であり、この内部に正方形断面の回転軸７が貫通している。
【００２７】
ここで、ローターディスク８のディスク本体３１は、円周方向に分割数ｎ（ｎ：３以上の整数）に分割された分割ディスク片３８（１）〜３８（ｎ）から構成され、複数本の締結ねじ３９によって相互に締結固定されている。本例では、ディスク本体３１の外周側部分３７の輪郭形状が略正方形であり、分割数ｎを正方形の頂点の数と同一（ｎ＝４）とし、各分割ディスク片３８（１）〜３８（４）を同一形状の部品（共通部品）としてある。
【００２８】
各分割ディスク片３８（３８（１）〜３８（ｎ））は、その一方の第１分割端面４１と他方の第２分割端面４２とが相補的な輪郭形状をしている。第１分割端面４１は、その外周端から中心に向かう途中位置から外方に突出している突出部分４１ａを備えている。本例では、突出部分４１ａには９０°の角度で外方に折れ曲がっている端面部分が備わっている。この突出部分４１ａの端面部分の先端は中心側に直角に折れ曲がっており、その先端が、ディスク本体３１の中心穴３２の内周面の一部を規定している内周端面４３の一端に繋がっている。また、突出部分４１ａの端面部分から内周端面４３に貫通する状態に一対の第１ねじ装着穴４４が形成されており、第１ねじ装着穴４４は突出部分４１ａの端面部分に直交する方向に延びている。
【００２９】
一方、第２分割端面４２は、突出部分４１ａに対応する部位に対応する湾曲部分４２ａを備えており、この湾曲部分４２ａの端面部分の先は内方に直角に曲がって延びており、その先端が、ディスク本体３１の中心穴３２の内周面の一部を規定している内周端面４３の他端に繋がっている。この湾曲部分４２ａの端面部分には、突出部分４１ａの第１ねじ装着穴４４に対応する部位に、当該端面部分から直交する方向に延びている一対の第２ねじ装着穴４５が形成されている。第２ねじ装着穴４５は、円環状部分３６の円形外周面の一部を規定している円弧状外周端面４６に開口している。
【００３０】
ここで、ハブ３３における正方形の外周端面３３ａには、各分割ディスク片３８の第２ねじ装着穴４５に対応する部位に、一対のねじ穴３３ｂが形成されている。
【００３１】
この構成の分割ディスク片３８からなるディスク本体３１は次のようにして簡単にハブ３３に締結固定することができる。まず、一つの分割ディスク片３８、例えば、分割ディスク片３８（１）を、その内周端面４３をハブ３３の外周端面３３ａにスライドさせながら、ハブ３３に取り付ける。次に、分割ディスク片３８（２）をハブ３３の外周端面に取り付け、その第２分割端面４２を分割ディスク片３８（１）の第２分割端面４１に重ね合わせ、締結ねじ３９を第２ねじ装着穴４５および第１ねじ装着穴４４に通して、ハブ３３のねじ穴３３ｂにねじ込む。この結果、分割ディスク片３８（１）、３８（２）が１本の締結ねじ３９によってハブ３３に固定された状態になる。以後、分割ディスク片３８（３）および分割ディスク片３８（４）を順次にハブ３３に取り付けて締結ねじ３９によって締結固定することにより、ディスク本体３１が構成される。
【００３２】
各分割ディスク片３８は、締結ねじ３９を外すことにより図５の矢印方向とは逆方向に取り外すことができる。また、各分割ディスク片３８が入れ子式に組みつけられており、１つの分割ディスク片３８を取り外しても残りの分割ディスク片３８はハブ３３に固定されたままである。したがって、分割ディスク片３８の取り外し、組み付け作業が簡単である。
【００３３】
（ローターディスクの実施の形態２）
図６は、図５に示すローターディスク３１の変形例を示す説明図である。この図に示すローターディスク３１Ａは、ディスク本体３１と共にハブ３３も円周方向に分割した構成の４枚の分割ディスク片３８Ａから構成されている。
【００３４】
この場合には、各分割ディスク片３８Ａにおける第１分割端面４１の突出部分４１ａには第１ねじ装着穴として所定深さのねじ穴４４Ａが形成され、締結ねじ３９によって各分割ディスク片３８Ａが締結固定される。各分割ディスク片３８Ａによって構成されたディスク本体３１およびハブ３３の中心に形成された正方形の中心穴３４Ａに矩形筒状の広幅のカラー３５が装着固定される。ハブ３３の内周端面とカラー３５の外周端面の間に、これらが、回転軸７の軸線方向にずれないようなずれ止め機構を構成しておけばよい。なお、その他の構造は図５に示す例と同様であるので、それらの説明は省略する。
【００３５】
（ローターディスクの実施の形態３）
図７は、ローターディスクを３分割構成とした場合の例であり、回転軸が正三角形断面の場合に採用することができる。ローターディスク１０８は、ハブが一体化された構成のディスク本体１３１と、このディスク本体１３１に形成した中心穴１３４に装着固定されているカラー（図示せず）とを備えている。
【００３６】
ディスク本体１３１は、一定厚さの円環状部分１３６と、この円環状部分１３６の円形外周面１３６ａから外方に広がっている略正方形の外形輪郭の外周側部分１３７とを備えている。外周側部分１３７は円環状部分１３６よりも薄肉である。円環状部分１３６の中心には正三角形断面の中心穴１３４が形成されている。この中心穴１３４に、正三角形断面の回転軸（図示せず）が差し込まれる。
【００３７】
ローターディスク１０８のディスク本体１３１は、円周方向に分割数３で分割された分割ディスク片１３８（１）〜１３８（３）から構成され、３組（６本）の締結ねじ１３９によって相互に締結固定されている。各分割ディスク片１３８（１）〜１３８（３）は、その一方の第１分割端面１４１と他方の第２分割端面１４２とが相補的な輪郭形状をしている。第１分割端面１４１は、その外周端から中心に向かう途中位置から１２０°の角度（＝３６０°／３）の角度で外方に折れ曲がっている。この突出部分１４１ａの先端面は中心側に直角に折れ曲がっており、その先が、ディスク本体１３１の中心穴１３４の内周面の一部を規定している内周端面１４３の一端に繋がっている。また、突出部分１４１ａの端面から内周端面１４３に向けて所定の深さのねじ穴１４４が形成されており、このねじ穴１４４は突出部分１４１ａの端面に直交する方向に延びている。
【００３８】
一方、第２分割端面１４２は、突出部分１４１ａに対応する角度（＝１２０°）で内方に折れ曲がっている湾曲部分１４２ａを備えており、この湾曲部分１４２ａの先端面は内方に直角に曲がって延びており、その先が、ディスク本体１３１の中心穴１３４の内周面の一部を規定している内周端面１４３に繋がっている。この湾曲部分１４２ａには、突出部分のねじ穴１４４に対応する部位に、当該湾曲部分１４２ａの端面から直交する方向に延びている第２ねじ装着穴１４５が形成されている。この第２ねじ装着穴１４５は、円環状部分１３６の円形外周面の一部を規定している円弧状外周端面１４６に開口している。
【００３９】
（ローターディスクの実施の形態４）
図８はローターディスクを３分割構成とした場合の例であり、回転軸が円形断面の場合に採用することができる。ローターディスク２０８は、ハブが一体化された構成のディスク本体２３１と、このディスク本体２３１に形成した中心穴２３４に装着固定されているカラー（図示せず）とを備えている。
【００４０】
ディスク本体２３１は、一定厚さの円環状部分２３６と、この円環状部分２３６の円形外周面２３６ａから外方に広がっている略正方形の外形輪郭の外周側部分２３７とを備えている。外周側部分２３７は円環状部分２３６よりも薄肉である。円環状部分２３６の中心には円形断面の中心穴２３４が形成されている。この中心穴２３４に、円形断面の回転軸が差し込まれる。
【００４１】
ローターディスク２０８のディスク本体２３１は、円周方向に分割数３で分割された分割ディスク片２３８（１）〜２３８（３）から構成され、複数本の締結ボルト２３９によって相互に締結固定されている。各分割ディスク片２３８（１）〜２３８（３）は、その一方の第１分割端面２４１と他方の第２分割端面２４２とが相補的な輪郭形状をしている。第１分割端面２４１は、その外周端から中心に向かう途中位置から１２０°の角度（＝３６０°／３）の角度で外方に折れ曲がっている。この突出部分２４１ａの外周端面の先は中心側に折れ曲がっており、その先が、ディスク本体２３１の中心穴２３４の円形内周面の一部を規定している円弧状の内周端面２４３の一端に繋がっている。また、突出部分２４１ａの外周端面から内周端面２４３に向けて所定の深さのねじ穴２４４が形成されており、このねじ穴２４４は突出部分２４１ａの外周端面に直交する方向に延びている。
【００４２】
一方、第２分割端面２４２は、突出部分２４１ａに対応する部位に対応する角度（＝１２０°）で内方に折れ曲がって延びている湾曲部分２４２ａを備えており、この湾曲部分２４２ａの外周端面の先は内方に曲がって延びており、その先端が、ディスク本体２３１の中心穴２３４の円形内周面の一部を規定している円弧状の内周端面２４３の他端に繋がっている。この湾曲部分２４２ａには、突出部分２４１ａのねじ穴２４４に対応する部位に、当該湾曲部分２４２ａの外周端面から直交する方向に延びている第２ねじ装着穴２４５が形成されている。この第２ねじ装着穴２４５は、円環状部分２３６の円形外周面の一部を規定している円弧状外周端面２４６に開口している。
【００４３】
（ローターディスクの実施の形態５）
図９は、ローターディスクを５分割構成とした場合の例であり、回転軸が正五角形断面の場合に採用することができる。ローターディスク３０８は、ハブが一体化された構成のディスク本体３３１と、このディスク本体３３１に形成した中心穴３３４に装着固定されているカラー（図示せず）とを備えている。
【００４４】
ディスク本体３３１は、一定厚さの円環状部分３３６と、この円環状部分３３６の円形外周面３３６ａから外方に広がっている略正方形の外形輪郭の外周側部分３３７とを備えている。外周側部分３３７は円環状部分３３６よりも薄肉である。円環状部分３３６の中心には正五角形断面の中心穴３３４が形成されている。この中心穴３３４に、正五角形断面の回転軸が差し込まれる。
【００４５】
ローターディスク３０８のディスク本体３３１は、円周方向に分割数５で分割された分割ディスク片３３８（１）〜３３８（５）から構成され、５組（１０本）の締結ボルト３３９によって相互に締結固定されている。各分割ディスク片３３８（１）〜３３８（３）は、その一方の第１分割端面３４１と他方の第２分割端面３４２とが相補的な輪郭形状をしている。第１分割端面３４１は、その外周端から中心に向かう途中位置から１０８°の角度（＝１８０°―３６０°／５）の角度で外方に折れ曲がっている。この突出部分３４１ａの外周端面の先端は中心側に１０８°の角度で折れ曲がっており、その先が、ディスク本体３３１の中心穴３３４の内周面の一部を規定している内周端面３４３の一端に繋がっている。また、突出部分３４１ａの外周端面から内周端面３４３に向けて所定の深さのねじ穴３４４が形成されており、このねじ穴３４４は突出部分３４１ａの外周端面に直交する方向に延びている。
【００４６】
一方、第２分割端面３４２は、突出部分３４１ａに対応する部位に対応する角度（＝１０８°）で内方に折れ曲がって延びている湾曲部分３４２ａを備えており、この湾曲部分３４２ａの外周端面の先は内方に１０８°の角度で折れ曲がって延びており、その先端が、ディスク本体３３１の中心穴３３４の内周面の一部を規定している内周端面３４３の他端に繋がっている。この湾曲部分３４２ａには、突出部分３４１ａのねじ穴３４４に対応する部位に、湾曲部分３４２ａの外周端面から直交する方向に延びている第２ねじ装着穴３４５が形成されている。この第２ねじ装着穴３４５は、円環状部分３３６の円形外周面の一部を規定している円弧状外周端面３４６に開口している。
【００４７】
（ローターディスクの実施の形態６）
ここで、上記のようにローターディスクをｎ個に分割された分割型とした場合には、各分割ディスク片の着脱方向に対して、第１ねじ装着穴の装着方向の角度を、（９０°＋３６０°／ｎ）以下の値となるように設定しておけば、各分割ディスク片を着脱することができる。
【００４８】
図１０は、ローターディスクを５分割構成（ｎ＝５）とした場合の例であり、各分割ディスク片の着脱方向に対して、第１ねじ装着穴の装着方向を最大の１６２°（＝９０°＋３６０°／５）とした場合の一例を示してある。
【００４９】
図１０に示すローターディスク４０８は、ハブが一体化された構成のディスク本体４３１と、このディスク本体４３１に形成した中心穴４３４に装着固定されているカラー（図示せず）とを備えている。
【００５０】
ディスク本体４３１は、一定厚さの円環状部分４３６と、この円環状部分４３６の円形外周面４３６ａから外方に広がっている略正方形の外形輪郭の外周側部分４３７とを備えている。外周側部分４３７は円環状部分４３６よりも薄肉である。円環状部分４３６の中心には正五角形断面の中心穴４３４が形成されている。この中心穴４３４に、正五角形断面の回転軸が差し込まれる。
【００５１】
ローターディスク４０８のディスク本体４３１は、円周方向に分割数５で分割された分割ディスク片４３８（１）〜４３８（５）から構成され、５組（１０本）の締結ねじ４３９によって相互に締結固定されている。各分割ディスク片４３８（１）〜４３８（５）は、その一方の第１分割端面４４１と他方の第２分割端面４４２とが相補的な輪郭形状をしている。第１分割端面４４１は、その外周端から中心に向かう途中位置から１０８°の角度（＝１８０°―３６０°／５）の角度で外方に折れ曲がっている。この突出部分４４１ａの外周端面の先端は中心側に１０８°の角度で折れ曲がった第３傾斜端面部分４４１ｂに繋がっており、この先端は、ディスク本体４３１の中心穴４３４の内周面の一部を規定している内周端面４４３の一端に繋がっている。また、第３傾斜端面部分４４１ｂから内周端面４４３に向けて所定の深さのねじ穴４４４が形成されており、このねじ穴４４４は第３傾斜端面部分４４１ｂに直交する方向に延びている。
【００５２】
一方、第２分割端面４４２は、突出部分４４１ａに対応する部位に、対応する角度（＝１０８°）で内方に折れ曲がって延びている湾曲部分４４２ａを備えており、この湾曲部分４４２ａの外周端面の先は内方に１０８°の角度で折れ曲がった第４傾斜端面部分４４２ｂに繋がっており、この先が、ディスク本体４３１の中心穴４３４の内周面の一部を規定している内周端面４４３に連続している。この第４傾斜端面部分４４２ｂには、第３傾斜端面部分４４１ｂのねじ穴４４４に対応する部位に、第４傾斜端面部分４４２ｂから直交する方向に延びているねじ装着穴４４５が形成されている。このねじ装着穴４４５は、円環状部分４３６の円形外周面の一部を規定している円弧状外周端面４４６に開口している。
【００５３】
（実施の形態７）
図１１は実施の形態７の分割型のローターディスクを示す分解斜視図であり、図１２はその正面図、分割ディスク片の正面図、分割ディスク片の側面図、ボスの正面図およびボスの側面図である。
【００５４】
ローターディスク５０８は、ディスク本体５３１と、このディスク本体５３１に形成した中心穴５３２に装着固定されているハブ５３３と、このハブ５３３に形成した中心孔５３４に装着固定されているカラー５３５とを備えている。
【００５５】
ディスク本体５３１は、一定厚さの円環状部分５３６と、この円環状部分５３６の円形外周面５３６ａから外方に広がっている略正方形の外形輪郭の外周側部分５３７とを備えている。外周側部分５３７は円環状部分５３６よりも薄肉である。円環状部分５３６の中心には正方形断面の中心穴５３２が形成されている。この中心穴５３２に装着固定されているハブ５３３も対応した大きさの正方形の輪郭形状のものであり、このハブ５３３の中心には、外形輪郭に対して９０°オフセットした状態で正方形の中心穴５３４が形成されている。この中心穴５３４に装着固定されているカラー５３５も対応する大きさの正方形の輪郭形状をした一定厚さの筒であり、この内部に正方形断面の回転軸（図示せず）が貫通する。
【００５６】
ローターディスク５０８のディスク本体５３１は、円周方向に分割数ｎ（ｎ：３以上の整数）に分割された分割ディスク片５３８から構成され、複数本の締結ねじ５３９によって相互に締結固定されている。本例では、ディスク本体５３１の外周側部分５３７の輪郭形状が略正方形であり、分割数ｎを正方形の頂点の数と同一（ｎ＝４）とし、各分割ディスク片５３８を同一形状の部品（共通部品）としてある。
【００５７】
ハブ５３３の４つの外周面にはそれぞれ同一形状の取り付け板５６０が一体形成されている。各分割ディスク片５３８には、その厚さ方向に貫通している一つのねじ装着穴５４４と、一つのねじ穴５４５とが形成されている。各取り付け板５６０にはねじ装着穴５６１が形成されている。
【００５８】
図１１に示すように、取り付け板５６０を挟む状態で、外側から分割ディスク片５３８を装着し、横方向から締結ねじ５３９を挿入してねじ込むことにより、２枚の分割ディスク片５３８がハブ５３３に固定された状態になる。順次に分割ディスク片５３８をハブ５３３に装着して締結ねじ５３９によって固定して１枚のローターディスク５０８が形成される。
【００５９】
本例の分割型ローターディスク５０８では、締結ねじ５３９を横方向から装着しているので、前述の各例の場合とは異なり、ねじ穴を形成するために分割ディスク片を厚くしておく必要がないという利点がある。
【図面の簡単な説明】
【００６０】
【図１】選別機の全体構成を示す概略構成図である。
【図２】（ａ）は図１の選別機のロータースクリーンの部分平面図であり、（ｂ）は１本のローターを示す平面図である。
【図３】選別機の選別動作を示す動作説明図である。
【図４】実施の形態１のローターディスクを示す正面図、その側面図、およびハブを示す半断面図である。
【図５】（ａ）は実施の形態１のローターディスクを示す正面図であり、（ｂ）は分割ディスク片を示す正面図である。
【図６】実施の形態２のローターディスクを示す正面図および分割ディスク片を示す正面図である。
【図７】実施の形態３のローターディスクを示す正面図および分割ディスク片を示す正面図である。
【図８】実施の形態４のローターディスクを示す正面図および分割ディスク片を示す正面図である。
【図９】実施の形態５のローターディスクを示す正面図および分割ディスク片を示す正面図である。
【図１０】実施の形態６のローターディスクを示す正面図および分割ディスク片を示す正面図である。
【図１１】本発明の実施の形態７の分割型のローターディスクを示す分解斜視図である。
【図１２】（ａ）〜（ｅ）は、図１１のローターディスクの正面図、分割ディスク片の正面図、分割ディスク片の側面図、ボスの正面図およびボスの側面図である。
【符号の説明】
【００６１】
１    選別機
２    ロータースクリーン
５    ローター
７    回転軸
８、１０８、２０８、３０８、４０８  ローターディスク
３１、１３１、２３１、３３１、４３１  ディスク本体
３２  中心穴
３３  ハブ
３４、１３４、２３４、３３４、４３４  中心穴
３５  カラー
３６、１３６、２３６、３３６、４３６  円環状部分
３７、１３７、２３７、３３７、４３７  外周側部分
３８、３８（１）〜３８（４）、１３８（１）〜１３８（３）、２３８（１）〜２３８（３）、３３８（１）〜３３８（５）、４３８（１）〜４３８（５）  分割ディスク片
３９、１３９、２３９、３３９、４３９  締結ねじ
４１、１４１、２４１、３４１、４４１  第１分割端面
４１ａ、１４１ａ、２４１ａ、３４１ａ、４４１ａ  突出部分
４２、１４２、２４２、３４２、４４２  第２分割端面
４２ａ、１４２ａ、２４２ａ、３４２ａ、４４２ａ  湾曲部分
４３、１４３、２４３、３４３、４４３  内周端面
４４、１４４、２４４、３４４、４４４  第１ねじ装着穴
４５、１４５、２４５、３４５、４４５  第２ねじ装着穴
【図１】
0004913080.tif 000002
【図２】
0004913080.tif 000003
【図３】
0004913080.tif 000004
【図４】
0004913080.tif 000005
【図５】
0004913080.tif 000006
【図６】
0004913080.tif 000007
【図７】
0004913080.tif 000008
【図８】
0004913080.tif 000009
【図９】
0004913080.tif 000010
【図１０】
0004913080.tif 000011
【図１１】
0004913080.tif 000012
【図１２】
0004913080.tif 000013